(57)【要約】【課題】気泡入りホットメルトにおける、気泡の混入率を選択自在且つ迅速容易に設定可能とすること【解決手段】  第１圧縮工程の第１ギヤポンプと、第２圧縮工程の第２ギヤポンプとを、互いに独立した駆動機構により駆動する。圧送中の液体(ホットメルト接着剤)の圧力を検知して第１ギヤポンプおよび第２ギヤポンプのそれぞれの回転数をシーケンス制御してガス混入量を自動制御する。第２圧縮工程における第１ギヤポンプと第２ギヤポンプとの間にガス吸入口を設けるとともに、該ガス吸入口と第２ギヤポンプとの間に混合器を設ける。【選択図】図１
2005152710.tif 000002
【特許請求の範囲】
【請求項１】
第１ギヤポンプを含む第１圧縮工程と第２ギヤポンプを含む第２圧縮工程とを有し、第１圧縮工程で液体を加圧供給し、第２圧縮工程でガスを混合し、吐出口より発泡ホットメルトを吐出する発泡ホットメルト塗布装置において、
第１圧縮工程の第１ギヤポンプと、第２圧縮工程の第２ギヤポンプとを、互いに独立した駆動機構により駆動して、第１ギヤポンプおよび第２ギヤポンプのそれぞれの回転数の設定を独立、任意とすること
を特徴とする気泡入りホットメルト塗布装置。
【請求項２】
第１ギヤポンプを含む第１圧縮工程と第２ギヤポンプを含む第２圧縮工程とを有し、第１圧縮工程で液体を加圧供給し、第２圧縮工程でガスを混合し、吐出口より発泡ホットメルトを吐出する発泡ホットメルト塗布装置において、
第１圧縮工程の第１ギヤポンプと、第２圧縮工程の第２ギヤポンプとを、互いに独立した駆動機構により駆動して、第１ギヤポンプおよび第２ギヤポンプのそれぞれの回転数の設定を独立、任意とするとともに、
第２圧縮工程における圧送中の液体の圧力を検知して第１ギヤポンプおよび第２ギヤポンプのそれぞれの回転数をシーケンス制御してガス混入量を自動制御すること
を特徴とする気泡入りホットメルト塗布装置。
【請求項３】
第１ギヤポンプを含む第１圧縮工程と第２ギヤポンプを含む第２圧縮工程とを有し、第１圧縮工程で液体を加圧供給し、第２圧縮工程でガスを混合し、吐出口より発泡ホットメルトを吐出する発泡ホットメルト塗布装置において、
第１圧縮工程の第１ギヤポンプと、第２圧縮工程の第２ギヤポンプとを、互いに独立した駆動機構により駆動して、第１ギヤポンプおよび第２ギヤポンプのそれぞれの回転数の設定を独立、任意とするとともに、
第１ギヤポンプと第２ギヤポンプとの間にガス吸入口を設けるとともに、該ガス吸入口と第２ギヤポンプとの間に混合器を設けて、ガスと液体との混合分散を促進したこと
を特徴とする発泡ホットメルト塗布装置。
【請求項４】
第１ギヤポンプを含む第１圧縮工程と第２ギヤポンプを含む第２圧縮工程とを有し、第１圧縮工程で液体を加圧供給し、第２圧縮工程でガスを混合し、吐出口より発泡ホットメルトを吐出する発泡ホットメルト塗布装置において、
第１圧縮工程の第１ギヤポンプと、第２圧縮工程の第２ギヤポンプとを、互いに独立した駆動機構により駆動して、第１ギヤポンプおよび第２ギヤポンプのそれぞれの回転数の設定を独立、任意とし、
第１ギヤポンプと第２ギヤポンプとの間にガス吸入口を設けるとともに、該ガス吸入口と第２ギヤポンプとの間に混合器を設けて、ガスと液体との混合分散を促進し、
第２圧縮工程における戻り回路の終端を、第１ギヤポンプの下流側として、気泡がタンク側に戻るのを阻止したこと
を特徴とする発泡ホットメルト塗布装置。
【請求項５】
第１ギヤポンプを含む第１圧縮工程と第２ギヤポンプを含む第２圧縮工程とを有し、第１圧縮工程で液体を加圧供給し、第２圧縮工程でガスを混合し、吐出口より発泡ホットメルトを吐出する発泡ホットメルト塗布装置において、
第１圧縮工程の第１ギヤポンプと、第２圧縮工程の第２ギヤポンプとを、互いに独立した駆動機構により駆動して、第１ギヤポンプおよび第２ギヤポンプのそれぞれの回転数の設定を独立、任意とし、
第１ギヤポンプと第２ギヤポンプとの間にガス吸入口を設けるとともに、該ガス吸入口と第２ギヤポンプとの間に混合器を設けて、ガスと液体との混合分散を促進し、
ガンに、バルブ機構に加えてノズル近傍に絞り弁を内装して、単独泡とたこと
を特徴とする発泡ホットメルト塗布装置。
【発明の詳細な説明】
【技術分野】
【０００１】
本願発明は、気泡入りホットメルト塗布装置に関するものである。
より詳しくは、ホットメルト接着剤の溶液中にガス（気体）を混入することで、気泡を混入したホットメルト接着剤を塗布するための塗布装置に関するものである。
【背景技術】
【０００２】
この種の気泡入りホットメルト塗布装置および気泡入りホットメルト塗布方法に関して、特公昭60−3350号公報（特願昭５２−91500号、特許第１３８０８４１号「ホットメルト加熱可塑性接着剤発泡体の製造装置」[特許文献1]が公知である。
上記の特許文献1の公知技術は、図４を参照して、第１ギヤポンプ101によるホットメルト接着剤加圧工程と、第２ギヤポンプ102によるガス混入工程とを含み、ノズル103の先端よりガス混入ホットメルト接着剤を吐出させて、ガス混入ホットメルト接着剤を大気圧で瞬時に発泡状態とする技術を開示している。
【０００３】
【特許文献１】特公昭60−3350号公報
【発明の開示】
【発明が解決しようとする課題】
【０００４】
上記の従来技術においては、単一の駆動機構で第１ギヤポンプと第２ギヤポンプとを駆動し両ギヤポンプを異なる容量とすることで、２段階の圧送工程により負圧を発生させ、ホットメルト接着剤にガスを混入している。
この場合、ギヤー比は一定であるため、気泡混入の増減の制御を、消費するホットメルト接着剤の供給量に連動させるには常にガス供給量を調整する必要がある。つまり、両ポンプの供給能力の比率を大きくする（負圧を大きくする）と気泡が大きくなり過ぎて泡が吐出後に大気圧に負けて破裂したりつぶれたりする問題点がある。逆に比率を小さくすると気泡の混入に時間を要することになる問題点がある。
適正なポンプの容積比率は1：1.5程度となるが、上記の従来技術は、第１ギヤポンプと第２ギヤポンプとが一体化され同一軸駆動であることから、強制負圧の値をポンプの回転数で制御することはできない。供給するガスの入り量は制限される。吐出量に見合って素早くガスの混入率を維持するには多くの時間を必要とする。且つ最適な微細な気泡を素早く作り出す状態にならない問題点がある。
よって、本願発明は、気泡の混入率を選択自在且つ迅速容易に設定可能とすることを課題とする。
【課題を解決するための手段】
【０００５】
本願第１発明は、第１ギヤポンプを含む第１圧縮工程と第２ギヤポンプを含む第２圧縮工程とを有し、第１圧縮工程でホットメルト接着剤を加圧供給し、第２圧縮工程でガスを混合し、吐出口より発泡ホットメルトを吐出する発泡ホットメルト塗布装置において、
第１圧縮工程の第１ギヤポンプと、第２圧縮工程の第２ギヤポンプとを、互いに独立した駆動機構により駆動して、第１ギヤポンプおよび第２ギヤポンプのそれぞれの回転数の設定を独立、任意とすることを特徴とする。
本願第２発明は、上記の第１発明において、第２圧縮工程における圧送中の液体(ホットメルト接着剤)の圧力を検知して第１ギヤポンプおよび第２ギヤポンプのそれぞれの回転数をシーケンス制御してガス混入量を自動制御することを特徴とする。
本願第３発明は、上記の第１発明において、第２圧縮工程における第１ギヤポンプと第２ギヤポンプとの間にガス吸入口を設けるとともに、該ガス吸入口と第２ギヤポンプとの間に混合器（攪拌器）を設けて、ガスと液体(ホットメルト接着剤)との混合分散を促進したことを特徴とする。
本願第４発明は、上記の第３発明において、第２圧縮工程における戻り回路の終端を、第１ギヤポンプの下流側［第１ギヤポンプとガス吸入口との間］として、気泡がタンク側に戻るのを阻止したことを特徴とする。
本願第５発明は、上記の第１発明において、ガンにバルブ機構とともに絞り弁を内装して、単独泡とたことを特徴とする。
【発明の効果】
【０００６】
本願第１発明は、第１ギヤポンプおよび第２ギヤポンプのそれぞれの回転数の設定を独立、任意とすることにより、
気泡入りホットメルト塗布に際して、気泡の混入量を、第２ポンプの回転数の選択で、任意に決定することができる。
また、第１ポンプと第２ポンプのそれぞれのそれ回転数を同一[第１ポンプの容量と第２ポンプの容量とが異なるときは、ポンプの送り作動容量が同一となるように両ポンプの回転数を選択]することで、100％気泡を含まない液体を塗布することが可能で、二種の塗布態様に単一の設備で対応することができる。
本願第２発明は、上記の第１発明において、圧送中の液体(ホットメルト接着剤)の圧力を検知して第１ギヤポンプおよび第２ギヤポンプのそれぞれの回転数をシーケンス制御してガス混入量を自動制御することにより、ガスを適量に入れる面倒な時間の掛かる調整がいらない、シーケンス制御を組込み自動的に適量の気泡を入れることができる等の効果を有する。  
本願第３発明は、上記の第１発明において、第２圧縮工程において、第２ギヤポンプの上流側に、ガス吸入口と混合器を設けて、ガスと液体(ホットメルト接着剤)との混合分散を促進したことにより、ガスの混入時間が早くすることができて、生産開始のアイドリング時間が短縮される効果を有する。
本願第４発明は、上記の第３発明において、第２圧縮工程における戻り回路の終端を、第１ギヤポンプの下流側としたことにより、気泡がタンク側に戻るのを阻止されて、溶融システム（タンク）に気泡が戻ることがなく溶融システムにおける溶融時間を迅速化する効果を有する。
本願第５発明は、システム終端のガンに、バルブ機構に加えて絞り弁を装備したことで、連続泡Ｑではなく、単一発砲（単独泡）Ｐとして、ほぼ均一な気泡を微細に分布させることができる効果を有する。
【発明を実施するための最良の形態】
【０００７】
第１ギヤポンプを含む第１圧縮工程と第２ギヤポンプを含む第２圧縮工程とを有し、第１圧縮工程でホットメルト接着剤を加圧供給し、第２圧縮工程でガスを混合し、吐出口より発泡ホットメルトを吐出する発泡ホットメルト塗布装置において、
第１圧縮工程の第１ギヤポンプと、第２圧縮工程の第２ギヤポンプとを、互いに独立した駆動機構により駆動する。
第２圧縮工程における第１ギヤポンプと第２ギヤポンプとの間にガス吸入口を設けるとともに、該ガス吸入口と第２ギヤポンプとの間に混合器（攪拌器）を設ける。
第２圧縮工程における圧送中の液体(ホットメルト接着剤)の圧力を検知して第１ギヤポンプおよび第２ギヤポンプのそれぞれの回転数をシーケンス制御してガス混入量を自動制御する。
第２圧縮工程における戻り回路の終端を、第１ギヤポンプの下流側［第１ギヤポンプと該ガス吸入口との間］とする。
ガンを、絞り弁を内装したバルブ機構とする。
【０００８】
第1圧縮工程：
溶融システム（タンク）より供給された液体(溶融状態のホットメルト接着剤)が、第１ギヤポンプにより、第2圧縮工程へ加圧圧送される。
第２圧縮工程：
第２ギヤポンプのポンプ容量が第１ギヤポンプのポンプ容量に比して大であることにより、第１ギヤポンプの下流側に負圧状態が形成される。負圧状態の液体(溶融状態のホットメルト接着剤)にガスを供給する。
攪拌器［混合器］により、液体(溶融状態のホットメルト接着剤)とガスとを攪拌混合する。
第２ギヤポンプにより、ガス混合液体を加圧して圧縮圧送する。
ガンと第２ギヤポンプとの間で、圧縮泡を蓄積する。
ガンは、バルブ機構を内装し先端ノズルに絞り弁を有することで、ノズルより吐出するガス混合液体は、大気中に放出されることで、瞬間的に発砲状態となる。
第２圧縮工程の下流側で、圧送中の液体(ホットメルト接着剤)の圧力を検知して第１ギヤポンプおよび第２ギヤポンプのそれぞれの回転数をマイコンでシーケンス制御してガス混入量を自動制御する。
【実施例】
【０００９】
図面に示す本発明の実施例にもとづいて本発明を詳細に説明する。
【００１０】
図1および図２を参照して、第１ギヤポンプ1を含む第１圧縮工程Ａにおいて、液体(溶融ホットメルト接着剤)の供給源（タンク）Ｔに通じる第１ライン（液体供給パイプ）11に第１ギヤポンプ1を装備することは、公知のシステムと同様である。
【００１１】
第２圧縮工程Ｂにおいて、本願発明は、第２ギヤポンプ２による圧縮圧送工程Ｂ２の上流側に、ガス供給混合工程Ｂ1を追加する。
【００１２】
上記のガス供給混合工程Ｂ1は、第１ギヤポンプ1に連続して第２ギヤポンプ２に接続する第２ライン（パイプ）12にガス吸入口21を設けるとともに、該ガス吸入口21と第２ギヤポンプ２との間に混合器（攪拌器）22を設けて、ガスと液体(ホットメルト接着剤)との混合分散を促進する。５はガス源（Ｎ２ガス）とガス吸入口21との間に介装した逆止弁である。
【００１３】
第２ギヤポンプ２と塗布ガンユニット３とを接続する第３ライン（圧送ホース）１３によりガス混合液体を圧送することにより、圧縮泡を蓄積して圧縮泡蓄積工程Ｂ3を構成する。
【００１４】
第３ライン（圧送ホース）１３の終端に位置するガン３は、バルブ機構を有し先端のノズル（吐出口）30の近傍に絞り弁31を内蔵し、ノズル（吐出口）30より、圧縮泡を含むガス混合液体を大気中に放出する。
【００１５】
第１圧縮工程Ａの第１ギヤポンプ1に対する第１駆動機構（マイコン制御式電動パルスモータ）10を設けるとともに、第２圧縮工程Ｂの第２ギヤポンプ２に対する第２駆動機構（マイコン制御式電動パルスモータ）２0を設けることにより、第１圧縮工程Ａの第１ギヤポンプ1と、第２圧縮工程の第２ギヤポンプとを、互いに独立した駆動し、第１ギヤポンプおよび第２ギヤポンプのそれぞれの回転数の設定を独立、任意とする。
【００１６】
図1を参照して、ガン３よりの戻り回路（第４ライン）14の終端を、第２ライン１２の先端部（第１ギヤポンプの下流側）とする。戻り回路（第４ライン）14の終端部に、絞り穴4を設ける。
【００１７】
第3ライン13の先端部と、第２ライン12のガス吸込み口21の上流側との間に第2戻り回路（第5ライン）15を設ける。第2戻り回路（第5ライン）15に、リリーフ弁6を設ける。
【００１８】
戻り回路（第４ライン）14の先端部、ガン３の近傍、に液圧検知センサー７を設ける。該液圧検知センサー７の検知入力で、第１ギヤポンプ1に対する第１駆動機構（マイコン制御式電動パルスモータ）10および第２ギヤポンプ２に対する第２駆動機構（マイコン制御式電動パルスモータ）20を制御して、第１ギヤポンプおよび第２ギヤポンプのそれぞれの回転数をシーケンス制御するマイコン（40）を設ける。
【００１９】
なお。実施例においては、第１ライン11、第２ライン12は、第１ギヤポンプ1および第２ギヤポンプ２と一体化して形成されている。即ち、第１ギヤポンプ1および第２ギヤポンプ２とを構成する金属ブロックの内部に形成されたマニホルド（８ないし13ｍｍФ）で構成されている。第３ライン13および第４ライン14は８ないし13ｍｍФのホースで、第３ライン13＋第４ライン14の長さは3ないし20ｍである。
【００２０】
図２を参照して、本発明の作用を説明する。
○第1圧縮工程Ａ：
溶融システム（タンク）Ｔより供給された液体(溶融状態のホットメルト接着剤)が、第１ギヤポンプにより、第2圧縮工程へ加圧圧送される。
【００２１】
○第２圧縮工程Ｂ：
第２ギヤポンプのポンプ能力が第１ギヤポンプのポンプ能力に比して大とする状態に、第１ギヤポンプおよび第２ギヤポンプのそれぞれの回転数をマイコンでシーケンス制御することにより、第１ギヤポンプの下流側に負圧状態が形成される。
【００２２】
ガス供給混合工程Ｂ1において：
第２ライン（パイプ）12のガス吸入口21に、ガス源（Ｎ２ガス）よりガス（Ｎ2ガス）を吸入する。そののち、混合器（攪拌器）22により、ガスと液体(ホットメルト接着剤)との混合分散を促進する。
【００２３】
ガス圧縮工程Ｂ2において：
第２ギヤポンプ２により、ガス混合液体を加圧して圧縮圧送する（即ち、微細なガスを多量に加圧液体内に圧縮封入させる）。
【００２４】
ライン13において：
ノズル３と第２ギヤポンプ２との間で、圧縮泡を蓄積する。
【００２５】
○吐出工程Ｃ：
ノズル３の吐出口30よりガス混合液体を吐出する。大気中に放出ガスされた混合液体は、瞬間的に発砲状態となり、気泡入りホットメルト接着剤が塗布される。
システム内では100％液体となっているがノズルから吐出の後に大気圧で瞬時に発泡状態となる（図３を参照して、単一発砲（単独泡）Ｐであり連続泡Ｑではない）。
【００２６】
つぎに、本願第２発明おけるシーケンス制御の数値例を列挙する。
【００２７】
第２圧縮工程における圧送中の液体(ホットメルト接着剤)の圧力値：平方センチあたり30ｋｇｆ  
【００２８】
第１ギヤポンプの回転数：0ないし100ＲＰＭ（20ｃｃ/ｒｅｖ）
第２ギヤポンプの回転数：0ないし150ＲＰＭ（40ｃｃ/ｒｅｖ）
液体(ホットメルト接着剤)の供給量：0ないし2000ｃｃ/ｍｉｎ
ガス混入量：0ないし75％
発泡の混入率：３倍まで（ホットメルト接着剤の性能により異なる）  
【図面の簡単な説明】
【００２９】
【図１】本願発明の実施例を示す気泡入りホットメルト塗布装置の大要を示す構成図。
【図２】同じく各工程の作用説明図。
【図３】同じく連続泡と単一発砲（単独泡）の差異説明図。
【図４】公知の気泡入りホットメルト塗布装置の大要を示す、図１同様の構成図。
【符号の説明】
【００３０】
1    第１ギヤポンプ
2    第２ギヤポンプ
３      ガン
11    第１ライン
12    第２ライン
13    第３ライン
21    ガス吸入口
22    混合器（攪拌器）
Ａ    第１圧縮工程
Ｂ    第２圧縮工程
Ｂ1    ガス供給混合工程
Ｂ2    圧縮圧送工程
Ｂ3    圧縮泡蓄積工程
【図１】
2005152710.tif 000003
【図２】
2005152710.tif 000004
【図３】
2005152710.tif 000005
【図４】
2005152710.tif 000006
【手続補正書】
【提出日】平成15年12月19日(2003.12.19)
【手続補正１】
【補正対象書類名】図面
【補正対象項目名】図１
【補正方法】変更
【補正の内容】
【図１】
2005152710.tif 000007
【手続補正２】
【補正対象書類名】図面
【補正対象項目名】図４
【補正方法】変更
【補正の内容】
【図４】
2005152710.tif 000008
【手続補正書】
【提出日】平成17年1月31日(2005.1.31)
【手続補正１】
【補正対象書類名】特許請求の範囲
【補正対象項目名】全文
【補正方法】変更
【補正の内容】
【特許請求の範囲】
【請求項１】
第１ギヤポンプを含む第１圧縮工程と第２ギヤポンプを含む第２圧縮工程とを有し、第１圧縮工程で液体を加圧供給し、第２圧縮工程でガスを混合し、吐出口より発泡ホットメルトを吐出する発泡ホットメルト塗布装置において、
第１圧縮工程の第１ギヤポンプと、第２圧縮工程の第２ギヤポンプとを、互いに独立した駆動機構により駆動して、第１ギヤポンプおよび第２ギヤポンプのそれぞれの回転数の設定を独立、任意とすることを特徴とする気泡入りホットメルト塗布装置。
【請求項２】
第１ギヤポンプを含む第１圧縮工程と第２ギヤポンプを含む第２圧縮工程とを有し、第１圧縮工程で液体を加圧供給し、第２圧縮工程でガスを混合し、吐出口より発泡ホットメルトを吐出する発泡ホットメルト塗布装置において、
第１圧縮工程の第１ギヤポンプと、第２圧縮工程の第２ギヤポンプとを、互いに独立した駆動機構により駆動して、第１ギヤポンプおよび第２ギヤポンプのそれぞれの回転数の設定を独立、任意とするとともに、
第２圧縮工程における圧送中の液体の圧力を検知して第１ギヤポンプおよび第２ギヤポンプのそれぞれの回転数をシーケンス制御してガス混入量を自動制御することを特徴とする気泡入りホットメルト塗布装置。
【請求項３】
第１ギヤポンプを含む第１圧縮工程と第２ギヤポンプを含む第２圧縮工程とを有し、第１圧縮工程で液体を加圧供給し、第２圧縮工程でガスを混合し、吐出口より発泡ホットメルトを吐出する発泡ホットメルト塗布装置において、
第１圧縮工程の第１ギヤポンプと、第２圧縮工程の第２ギヤポンプとを、互いに独立した駆動機構により駆動して、第１ギヤポンプおよび第２ギヤポンプのそれぞれの回転数の設定を独立、任意とするとともに、
第１ギヤポンプと第２ギヤポンプとの間にガス吸入口を設けるとともに、該ガス吸入口と第２ギヤポンプとの間に混合器を設けて、ガスと液体との混合分散を促進したこと
を特徴とする発泡ホットメルト塗布装置。
【請求項４】
第１ギヤポンプを含む第１圧縮工程と第２ギヤポンプを含む第２圧縮工程とを有し、第１圧縮工程で液体を加圧供給し、第２圧縮工程でガスを混合し、吐出口より発泡ホットメルトを吐出する発泡ホットメルト塗布装置において、
第１圧縮工程の第１ギヤポンプと、第２圧縮工程の第２ギヤポンプとを、互いに独立した駆動機構により駆動して、第１ギヤポンプおよび第２ギヤポンプのそれぞれの回転数の設定を独立、任意とし、
第１ギヤポンプと第２ギヤポンプとの間にガス吸入口を設けるとともに、該ガス吸入口と第２ギヤポンプとの間に混合器を設けて、ガスと液体との混合分散を促進し、
第２圧縮工程における戻り回路の終端を、第１ギヤポンプの下流側として、気泡がタンク側に戻るのを阻止したこと
を特徴とする発泡ホットメルト塗布装置。
【請求項５】
第１ギヤポンプを含む第１圧縮工程と第２ギヤポンプを含む第２圧縮工程とを有し、第１圧縮工程で液体を加圧供給し、第２圧縮工程でガスを混合し、吐出口より発泡ホットメルトを吐出する発泡ホットメルト塗布装置において、
第１圧縮工程の第１ギヤポンプと、第２圧縮工程の第２ギヤポンプとを、互いに独立した駆動機構により駆動して、第１ギヤポンプおよび第２ギヤポンプのそれぞれの回転数の設定を独立、任意とし、
第１ギヤポンプと第２ギヤポンプとの間にガス吸入口を設けるとともに、該ガス吸入口と
第２ギヤポンプとの間に混合器を設けて、ガスと液体との混合分散を促進し、
ガンに、バルブ機構に加えてノズル近傍に絞り弁を内装して、単独泡とたこと
を特徴とする発泡ホットメルト塗布装置。
【請求項６】
第１ギヤポンプを含む第１圧縮工程と第２ギヤポンプを含む第２圧縮工程とを有し、第１圧縮工程で液体を加圧供給し、第２圧縮工程でガスを混合し、吐出口より発泡ホットメルトを吐出し、第１圧縮工程の第１ギヤポンプと、第２圧縮工程の第２ギヤポンプとを、互いに独立した駆動機構により駆動して、第１ギヤポンプおよび第２ギヤポンプのそれぞれの回転数の設定を独立、任意とする発泡ホットメルト塗布装置による塗布にあたり、
第１ギヤポンプおよび第２ギヤポンプの吐出比率を1倍に自動制御することで、ソリット状態ホットメルト塗布を行い、
第１ギヤポンプおよび第２ギヤポンプの吐出比率を1倍を超える値に自動制御することで、発泡ホットメルト塗布を行い、
発泡ホットメルト塗布装置により、ソリット状態ホットメルト塗布と発泡ホットメルト塗布を選択自在とすることを特徴とするホットメルト塗布方法。
【手続補正２】
【補正対象書類名】明細書
【補正対象項目名】全文
【補正方法】変更
【補正の内容】
【発明の詳細な説明】
【技術分野】
【０００１】
本願発明は、発泡ホットメルト塗布装置に関するものである。
より詳しくは、ホットメルト接着剤の溶液中にガス（気体）を混入することで、気泡を混入したホットメルト接着剤を発泡状態で塗布するための塗布装置に関するものである。
【背景技術】
【０００２】
この種の気泡入りホットメルト塗布装置および気泡入りホットメルト塗布方法に関して、特公昭60−3350号公報（特願昭５２−91500号、特許第１３８０８４１号「ホットメルト加熱可塑性接着剤発泡体の製造装置」[特許文献1]が公知である。
上記の特許文献1の公知技術は、図４を参照して、第１ギヤポンプ101によるホットメルト接着剤加圧工程と、第２ギヤポンプ102によるガス混入工程とを含み、ノズル103の先端よりガス混入ホットメルト接着剤を吐出させて、ガス混入ホットメルト接着剤を大気圧で瞬時に発泡状態とする技術を開示している。
【０００３】
【特許文献１】特公昭60−3350号公報
【発明の開示】
【発明が解決しようとする課題】
【０００４】
上記の従来技術においては、単一の駆動機構で第１ギヤポンプと第２ギヤポンプとを駆動し両ギヤポンプを異なる容量とすることで、２段階の圧送工程により負圧を発生させ、ホットメルト接着剤にガスを混入している。
この場合、ギヤー比は一定であるため、気泡混入の増減の制御を、消費するホットメルト接着剤の供給量に連動させるには常にガス供給量を調整する必要がある。つまり、両ポンプの供給能力の比率を大きくする（負圧を大きくする）と気泡が大きくなり過ぎて泡が吐出後に大気圧に負けて破裂したりつぶれたりする問題点がある。逆に比率を小さくすると気泡の混入に時間を要することになる問題点がある。
適正なポンプの容積比率は1：1.5程度となるが、上記の従来技術は、第１ギヤポンプと第２ギヤポンプとが一体化され同一軸駆動であることから、強制負圧の値をポンプの回転数で制御することはできない。供給するガスの入り量は制限される。吐出量に見合って素早くガスの混入率を維持するには多くの時間を必要とする。且つ最適な微細な気泡を素早く作り出す状態にならない問題点がある。
よって、本願発明は、気泡の混入率を選択自在且つ迅速容易に設定可能とすることを課題とする。
さらに、発泡ホットメルト塗布装置より発泡ホットメルト塗布と、ソリッド状態ホットメルト塗布（気泡の存在しない１００パーセントットメルト接着剤塗布）とを選択自在とする塗布方法を提供することを課題とする。
【課題を解決するための手段】
【０００５】
本願第１発明は、第１ギヤポンプを含む第１圧縮工程と第２ギヤポンプを含む第２圧縮工程とを有し、第１圧縮工程でホットメルト接着剤を加圧供給し、第２圧縮工程でガスを混合し、吐出口より発泡ホットメルトを吐出する発泡ホットメルト塗布装置において、
第１圧縮工程の第１ギヤポンプと、第２圧縮工程の第２ギヤポンプとを、互いに独立した駆動機構により駆動して、第１ギヤポンプおよび第２ギヤポンプのそれぞれの回転数の設定を独立、任意とすることを特徴とする。
本願第２発明は、上記の第１発明において、第２圧縮工程における圧送中の液体(ホットメルト接着剤)の圧力を検知して第１ギヤポンプおよび第２ギヤポンプのそれぞれの回転数をシーケンス制御してガス混入量を自動制御することを特徴とする。
本願第３発明は、上記の第１発明において、第２圧縮工程における第１ギヤポンプと第２ギヤポンプとの間にガス吸入口を設けるとともに、該ガス吸入口と第２ギヤポンプとの間に混合器（攪拌器）を設けて、ガスと液体(ホットメルト接着剤)との混合分散を促進したことを特徴とする。
本願第４発明は、上記の第３発明において、第２圧縮工程における戻り回路の終端を、第１ギヤポンプの下流側［第１ギヤポンプとガス吸入口との間］として、気泡がタンク側に戻るのを阻止したことを特徴とする。
本願第５発明は、上記の第１発明において、ガンにバルブ機構とともに絞り弁を内装して、単独泡としたことを特徴とする。
本願第６発明は、第１発明の発泡ホットメルト塗布装置による塗布にあたり、第１ギヤポンプおよび第２ギヤポンプの吐出比率を1倍に自動制御することで発泡ホットメルト塗布を行い、第１ギヤポンプおよび第２ギヤポンプの吐出比率を1倍を超える値に自動制御することで、発泡ホットメルト塗布を行うことで、第１ギヤポンプおよび第２ギヤポンプの吐出比率の設定値制御なより、発泡ホットメルト塗布とソリット状態ホットメルト塗布とを選択自在とする。
【発明の効果】
【０００６】
本願第１発明は、第１ギヤポンプおよび第２ギヤポンプのそれぞれの回転数の設定を独立、任意とすることにより、
気泡入りホットメルト塗布に際して、気泡の混入量を、第２ポンプの回転数の選択で、任意に決定することができる。
本願第２発明は、上記の第１発明において、圧送中の液体(ホットメルト接着剤)の圧力を検知して第１ギヤポンプおよび第２ギヤポンプのそれぞれの回転数をシーケンス制御してガス混入量を自動制御することにより、ガスを適量に入れる面倒な時間の掛かる調整がいらない、シーケンス制御を組込み自動的に適量の気泡を入れることができる等の効果を有する。  
本願第３発明は、上記の第１発明において、第２圧縮工程において、第２ギヤポンプの上流側に、ガス吸入口と混合器を設けて、ガスと液体(ホットメルト接着剤)との混合分散を促進したことにより、ガスの混入時間が早くすることができて、生産開始のアイドリング時間が短縮される効果を有する。
本願第４発明は、上記の第３発明において、第２圧縮工程における戻り回路の終端を、第１ギヤポンプの下流側としたことにより、気泡がタンク側に戻るのを阻止されて、溶融システム（タンク）に気泡が戻ることがなく溶融システムにおける溶融時間を迅速化する効果を有する。
本願第５発明は、システム終端のガンに、バルブ機構に加えて絞り弁を装備したことで、連続泡Ｑではなく、単一発砲（単独泡）Ｐとして、ほぼ均一な気泡を微細に分布させることができる効果を有する。
本願第６発明は、単一の気泡ホットメルト塗布装置で、吐出比率を1を超える値に制御して、発泡ホットメルト塗布を行うところの、気泡ホットメルト塗布装置としての機能に加えて、マイコンのシーケンス制御で吐出比率を1としてソリッドホットメルト塗布する）ことが可能で、二種の塗布態様に単一の設備で対応できる効果を有する。
【発明を実施するための最良の形態】
【０００７】
第１ギヤポンプを含む第１圧縮工程と第２ギヤポンプを含む第２圧縮工程とを有し、第１圧縮工程でホットメルト接着剤を加圧供給し、第２圧縮工程でガスを混合し、吐出口より発泡ホットメルトを吐出する発泡ホットメルト塗布装置において、
第１圧縮工程の第１ギヤポンプと、第２圧縮工程の第２ギヤポンプとを、互いに独立した駆動機構により駆動する。
第２圧縮工程における第１ギヤポンプと第２ギヤポンプとの間にガス吸入口を設けるとともに、該ガス吸入口と第２ギヤポンプとの間に混合器（攪拌器）を設ける。
第２圧縮工程における圧送中の液体(ホットメルト接着剤)の圧力を検知して第１ギヤポンプおよび第２ギヤポンプのそれぞれの回転数をシーケンス制御してガス混入量を自動制御する。
第２圧縮工程における戻り回路の終端を、第１ギヤポンプの下流側［第１ギヤポンプと該ガス吸入口との間］とする。
ガンを、絞り弁を内装したバルブ機構とする。
制御部は、第１ギヤポンプおよび第２ギヤポンプの吐出比率の設定値制御をシーケンス制御による自動制御で、吐出比率を1とすることでソリッド状態ホットメルト塗布とし、吐出比率を1を超える任意の設定値に制御することで発泡ホットメルト塗布とすべく制御する。
【０００８】
第1圧縮工程：
溶融システム（タンク）より供給された液体(溶融状態のホットメルト接着剤)が、第１ギヤポンプにより、第2圧縮工程へ加圧圧送される。
第２圧縮工程：
第２ギヤポンプのポンプ容量が第１ギヤポンプのポンプ容量に比して大であることにより、第１ギヤポンプの下流側に負圧状態が形成される。負圧状態の液体(溶融状態のホットメルト接着剤)にガスを供給する。
攪拌器［混合器］により、液体(溶融状態のホットメルト接着剤)とガスとを攪拌混合する。
第２ギヤポンプにより、ガス混合液体を加圧して圧縮圧送する。
ガンと第２ギヤポンプとの間で、圧縮泡を蓄積する。
ガンは、バルブ機構を内装し先端ノズルに絞り弁を有することで、ノズルより吐出するガス混合液体は、大気中に放出されることで、瞬間的に発砲状態となる。
第２圧縮工程の下流側で、圧送中の液体(ホットメルト接着剤)の圧力を検知して第１ギヤポンプおよび第２ギヤポンプのそれぞれの回転数をマイコンでシーケンス制御してガス混入量を自動制御する。
【実施例】
【０００９】
図面に示す本発明の実施例にもとづいて本発明を詳細に説明する。
【００１０】
図1および図２を参照して、第１ギヤポンプ1を含む第１圧縮工程Ａにおいて、液体(溶融ホットメルト接着剤)の供給源（タンク）Ｔに通じる第１ライン（液体供給パイプ）11に第１ギヤポンプ1を装備することは、公知のシステムと同様である。
【００１１】
第２圧縮工程Ｂにおいて、本願発明は、第２ギヤポンプ２による圧縮圧送工程Ｂ２の上流側に、ガス供給混合工程Ｂ1を追加する。
【００１２】
上記のガス供給混合工程Ｂ1は、第１ギヤポンプ1に連続して第２ギヤポンプ２に接続する第２ライン（パイプ）12にガス吸入口21を設けるとともに、該ガス吸入口21と第２ギヤポンプ２との間に混合器（攪拌器）22を設けて、ガスと液体(ホットメルト接着剤)との混合分散を促進する。５はガス源（Ｎ２ガス）とガス吸入口21との間に介装した逆止弁である。
【００１３】
第２ギヤポンプ２と塗布ガンユニット３とを接続する第３ライン（圧送ホース）１３によりガス混合液体を圧送することにより、圧縮泡を蓄積して圧縮泡蓄積工程Ｂ3を構成する。
【００１４】
第３ライン（圧送ホース）１３の終端に位置するガン３は、バルブ機構を有し先端のノズル（吐出口）30の近傍に絞り弁31を内蔵し、ノズル（吐出口）30より、圧縮泡を含むガス混合液体を大気中に放出する。
【００１５】
第１圧縮工程Ａの第１ギヤポンプ1に対する第１駆動機構（マイコン制御式電動パルスモータ）10を設けるとともに、第２圧縮工程Ｂの第２ギヤポンプ２に対する第２駆動機構（マイコン制御式電動パルスモータ）２0を設けることにより、第１圧縮工程Ａの第１ギヤポンプ1と、第２圧縮工程の第２ギヤポンプとを、互いに独立した駆動し、第１ギヤポンプおよび第２ギヤポンプのそれぞれの回転数の設定を独立、任意とする。
【００１６】
図1を参照して、ガン３よりの戻り回路（第４ライン）14の終端を、第２ライン１２の先端部（第１ギヤポンプの下流側）とする。戻り回路（第４ライン）14の終端部に、絞り穴4を設ける。
【００１７】
第3ライン13の先端部と、第２ライン12のガス吸込み口21の上流側との間に第2戻り回路（第5ライン）15を設ける。第2戻り回路（第5ライン）15に、リリーフ弁6を設ける。
【００１８】
戻り回路（第４ライン）14の先端部、ガン３の近傍、に液圧検知センサー７を設ける。該液圧検知センサー７の検知入力で、第１ギヤポンプ1に対する第１駆動機構（マイコン制御式電動パルスモータ）10および第２ギヤポンプ２に対する第２駆動機構（マイコン制御式電動パルスモータ）20を制御して、第１ギヤポンプおよび第２ギヤポンプのそれぞれの回転数をシーケンス制御するマイコン（40）を設ける。
【００１９】
なお。実施例においては、第１ライン11、第２ライン12は、第１ギヤポンプ1および第２ギヤポンプ２と一体化して形成されている。即ち、第１ギヤポンプ1および第２ギヤポンプ２とを構成する金属ブロックの内部に形成されたマニホルド（８ないし13ｍｍФ）で構成されている。第３ライン13および第４ライン14は８ないし13ｍｍФのホースで、第３ライン13＋第４ライン14の長さは3ないし20ｍである。
【００２０】
図２を参照して、本発明の作用を説明する。
○第1圧縮工程Ａ：
溶融システム（タンク）Ｔより供給された液体(溶融状態のホットメルト接着剤)が、第１ギヤポンプにより、第2圧縮工程へ加圧圧送される。
【００２１】
○第２圧縮工程Ｂ：
第２ギヤポンプのポンプ能力が第１ギヤポンプのポンプ能力に比して大とする状態に、第１ギヤポンプおよび第２ギヤポンプのそれぞれの回転数をマイコンでシーケンス制御することにより、第１ギヤポンプの下流側に負圧状態が形成される。
【００２２】
ガス供給混合工程Ｂ1において：
第２ライン（パイプ）12のガス吸入口21に、ガス源（Ｎ２ガス）よりガス（Ｎ2ガス）を吸入する。そののち、混合器（攪拌器）22により、ガスと液体(ホットメルト接着剤)との混合分散を促進する。
【００２３】
ガス圧縮工程Ｂ2において：
第２ギヤポンプ２により、ガス混合液体を加圧して圧縮圧送する（即ち、微細なガスを多量に加圧液体内に圧縮封入させる）。
【００２４】
ライン13において：
ノズル３と第２ギヤポンプ２との間で、圧縮泡を蓄積する。
【００２５】
○吐出工程Ｃ：
ノズル３の吐出口30よりガス混合液体を吐出する。大気中に放出ガスされた混合液体は、瞬間的に発砲状態となり、発泡ホットメルト接着剤が塗布される。
システム内では100％液体（ガス（気体）は100％液体ホットメルト接着剤に圧縮され点状に混在している）となっているがノズルから吐出の後に大気圧で瞬時に発泡状態となる（図３を参照して、単一発砲（単独泡）Ｐであり連続泡Ｑではない）。なお、ガス（気体）が細かい泡（fine  bubble）の状態で混在して、100％液体より僅かに低下している場合もある。
【００２６】
つぎに、本願第２発明おけるシーケンス制御の数値例を列挙する。
【００２７】
第２圧縮工程における圧送中の液体(ホットメルト接着剤)の圧力値：平方センチあたり30ｋｇｆ  
【００２８】
第１ギヤポンプの回転数：0ないし100ＲＰＭ（20ｃｃ/ｒｅｖ）
第２ギヤポンプの回転数：0ないし150ＲＰＭ（40ｃｃ/ｒｅｖ）
液体(ホットメルト接着剤)の供給量：0ないし2000ｃｃ/ｍｉｎ
ガス混入量：0ないし75％
発泡の混入率：３倍まで（ホットメルト接着剤の性能により異なる）  
【００２９】
第６発明の実施にあたり、ソリッド状態ホットメルト塗布にあたり、ギヤポンプ吐出比率を１倍にした状態で、第１ポンプおよび第２ポンプを回路内圧力が、目標圧力（上記の1-4ＭＰａの範囲内の設定値）になるようにシーケンス制御により自動制御を行う。
【図面の簡単な説明】
【００３０】
【図１】本願発明の実施例を示す発泡ホットメルト塗布装置の大要を示す構成図。
【図２】同じく各工程の作用説明図。
【図３】同じく連続泡と単一発砲（単独泡）の差異説明図。
【図４】公知の気泡入りホットメルト塗布装置の大要を示す、図１同様の構成図。
【符号の説明】
【００３１】
1    第１ギヤポンプ
2    第２ギヤポンプ
３      ガン
第１ライン
12    第２ライン
13    第３ライン
21    ガス吸入口
混合器（攪拌器）
Ａ    第１圧縮工程
Ｂ    第２圧縮工程
Ｂ1    ガス供給混合工程
Ｂ2    圧縮圧送工程
Ｂ3    圧縮泡蓄積工程